【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
モノのインターネット(IoT)デバイスを前記IoTデバイスの画像によって識別するための方法であって、
ユーザデバイスによって、前記IoTデバイスの前記画像をキャプチャするステップであって、前記IoTデバイスの前記画像は、前記IoTデバイスの周りの環境の少なくとも一部を含むステップと、
前記IoTデバイスの前記画像を前記ユーザデバイスから前記IoTデバイスに送信するステップであって、前記IoTデバイスは、前記IoTデバイスの前記画像を前記IoTデバイスのメモリに記憶し、前記IoTデバイスの前記メモリに記憶された前記IoTデバイスの前記画像を前記IoTデバイスの前記メモリに記憶された前記IoTデバイスを識別する情報に関連付けるステップとを含む方法。
【請求項２】
前記ユーザデバイスを前記IoTデバイスに接続するステップであって、前記送信は前記接続に応答して実行されるステップをさらに含む、請求項1に記載の方法。
【請求項３】
前記接続するステップは、前記IoTデバイスのオンボードプロセス中に実行される、請求項2に記載の方法。
【請求項４】
前記IoTデバイスのユーザは、前記ユーザデバイスに前記IoTデバイスのオンボードプロセス中に前記IoTデバイスの前記画像をキャプチャするよう命令する、請求項1に記載の方法。
【請求項５】
前記IoTデバイスのユーザは、前記ユーザデバイスに前記IoTデバイスの構成プロセス中に前記IoTデバイスの前記画像をキャプチャするよう命令する、請求項1に記載の方法。
【請求項６】
前記送信するステップは、前記画像をオンボード実行デバイスを介して前記IoTデバイスに送信するステップを含む、請求項1に記載の方法。
【請求項７】
前記ユーザデバイスにおいて前記IoTデバイスから通知を受信するステップと、
前記IoTデバイスから前記IoTデバイスの前記画像を受信するステップと、
前記ユーザデバイスにおいて前記画像を表示するステップとをさらに含む、請求項1に記載の方法。
【請求項８】
前記通知を受信したことに応答して前記IoTデバイスの前記画像を要求するステップをさらに含む、請求項7に記載の方法。
【請求項９】
前記ユーザデバイスによって、前記IoTデバイスに関する情報についての要求をユーザから受信するステップと、
前記要求を前記IoTデバイスに転送するステップとをさらに含む、請求項1に記載の方法。
【請求項１０】
前記IoTデバイスに関する情報および前記IoTデバイスの前記画像を前記IoTデバイスから受信するステップと、
前記IoTデバイスに関する前記情報および前記画像を表示するステップとをさらに含む、請求項9に記載の方法。
【請求項１１】
モノのインターネット(IoT)デバイスを前記IoTデバイスの画像によって識別するための方法であって、
前記IoTデバイスによって、前記IoTデバイスの前記画像をユーザデバイスから受信するステップであって、前記IoTデバイスの前記画像は、前記IoTデバイスの周りの環境の少なくとも一部を含むステップと、
前記IoTデバイスによって、前記IoTデバイスの前記画像を前記IoTデバイスのメモリに記憶するステップと、
前記IoTデバイスによって、前記IoTデバイスの前記メモリに記憶された前記IoTデバイスの前記画像を前記IoTデバイスの前記メモリに記憶された前記IoTデバイスを識別する情報に関連付けるステップと
を含む方法。
【請求項１２】
前記IoTデバイスは、前記IoTデバイスのオンボードプロセス中に前記IoTデバイスの前記画像を受信する、請求項11に記載の方法。
【請求項１３】
前記ユーザデバイスは前記IoTデバイスをオンボードする、請求項12に記載の方法。
【請求項１４】
前記IoTデバイスは、前記IoTデバイスの構成プロセス中に前記IoTデバイスの前記画像を受信する、請求項11に記載の方法。
【請求項１５】
前記ユーザデバイスは前記IoTデバイスを構成する、請求項14に記載の方法。
【請求項１６】
前記IoTデバイスによって前記ユーザデバイスに通知を送信するステップと、
前記IoTデバイスによって前記IoTデバイスの前記画像を前記ユーザデバイスに送信するステップとをさらに含む、請求項11に記載の方法。
【請求項１７】
前記IoTデバイスによって、前記IoTデバイスに関する情報についての要求を前記ユーザデバイスから受信するステップと、
前記IoTデバイスによって、前記IoTデバイスに関する情報および前記IoTデバイスの前記画像を前記ユーザデバイスに送信するステップとをさらに含む、請求項11に記載の方法。
【請求項１８】
前記ユーザデバイスは、スマートフォン、タブレットコンピュータ、ラップトップコンピュータ、携帯情報端末(PDA)、またはデスクトップコンピュータを備える、請求項11に記載の方法。
【請求項１９】
前記IoTデバイスはヘッドレスIoTデバイスを備える、請求項11に記載の方法。
【請求項２０】
モノのインターネット(IoT)デバイスを前記IoTデバイスの画像によって識別するための装置であって、
前記IoTデバイスの前記画像をキャプチャするように構成されたユーザデバイスのカメラであって、前記IoTデバイスの前記画像は、前記IoTデバイスの周りの環境の少なくとも一部を含む、カメラと、
前記IoTデバイスの前記画像を前記ユーザデバイスから前記IoTデバイスに送信するように構成された前記ユーザデバイスのトランシーバであって、前記IoTデバイスは、前記IoTデバイスの前記画像を前記IoTデバイスのメモリに記憶し、前記IoTデバイスの前記メモリに記憶された前記画像を前記IoTデバイスの前記メモリに記憶された前記IoTデバイスを識別する情報に関連付ける論理
とを備える装置。
【請求項２１】
送信するように構成された前記トランシーバは、前記画像をオンボード実行デバイスを介して前記IoTデバイスに送信するように構成されたトランシーバを備える、請求項20に記載の装置。
【請求項２２】
前記トランシーバはさらに、
前記IoTデバイスから通知を受信し、
前記IoTデバイスから前記IoTデバイスの前記画像を受信する
ように構成され、
前記装置はさらに、前記画像を表示するように構成された前記ユーザデバイスのユーザインタフェース備える、
請求項20に記載の装置。
【請求項２３】
前記トランシーバはさらに、
前記IoTデバイスに関する情報についての要求をユーザから受信し、
前記要求を前記IoTデバイスに転送するように構成された、請求項20に記載の装置。
【請求項２４】
前記トランシーバはさらに、
前記IoTデバイスに関する情報および前記IoTデバイスの前記画像を前記IoTデバイスから受信するように構成され、
前記装置はさらに、前記IoTデバイスに関する前記情報および前記画像を表示するように構成された前記ユーザデバイスのユーザインタフェース備える、
請求項23に記載の装置。
【請求項２５】
モノのインターネット(IoT)デバイスを前記IoTデバイスの画像によって識別するための装置であって、
前記IoTデバイスの前記画像をユーザデバイスから受信するように構成された前記IoTデバイスのトランシーバであって、前記IoTデバイスの前記画像は、前記IoTデバイスの周りの環境の少なくとも一部を含むトランシーバと、
前記IoTデバイスの前記画像を記憶するように構成された前記IoTデバイスのメモリと、
前記IoTデバイスの前記メモリに記憶された前記IoTデバイスの前記画像を前記IoTデバイスの前記メモリに記憶された前記IoTデバイスを識別する情報に関連付けるように構成された前記IoTデバイスの少なくとも1つのプロセッサと、
を備える装置。
【請求項２６】
前記トランシーバは、前記IoTデバイスのオンボードプロセス中に前記IoTデバイスの前記画像を受信する、請求項25に記載の装置。
【請求項２７】
前記トランシーバは、前記IoTデバイスの構成プロセス中に前記IoTデバイスの前記画像を受信する、請求項25に記載の装置。
【請求項２８】
前記トランシーバはさらに、
前記ユーザデバイスに通知を送信し、
前記IoTデバイスの前記画像を前記ユーザデバイスに送信する
ように構成された、請求項25に記載の装置。
【請求項２９】
前記トランシーバはさらに、
前記IoTデバイスに関する情報についての要求を前記ユーザデバイスから受信し、
前記IoTデバイスに関する情報および前記IoTデバイスの前記画像を前記ユーザデバイスに送信するように構成された、請求項25に記載の装置。
【請求項３０】
前記IoTデバイスはヘッドレスIoTデバイスを備える、請求項25に記載の装置。